(57)【要約】【課題】  血圧関連情報により被測定者の健康状態を判定し、判定結果および位置情報に基づいて被測定者を誘導する情報を提供可能な血圧関連情報管理装置および方法を提供する。【解決手段】  実施形態による血圧関連情報管理装置は、被測定者の血圧関連情報を取得可能な情報取得部１３０と、被測定者を誘導する情報を出力可能な誘導情報出力部１１、１６、１ｓｐと、血圧関連情報に基づいて、予め設定された判定基準により被測定者の健康状態を判定する判定部１３１と、被測定者の現在位置を取得可能であって、判定部１３１での判定結果と被測定者の現在位置とに応じた被測定者の誘導先の情報を取得し、誘導先の情報に基づいて誘導情報出力部１１、１６、１ｓｐより被測定者を誘導するための情報を出力させる誘導処理部１３２と、を備える。【選択図】図１
2018191784.tif 000002
【特許請求の範囲】
【請求項１】
被測定者の血圧関連情報を取得可能な情報取得部と、
前記被測定者を誘導する情報を出力可能な誘導情報出力部と、
前記血圧関連情報に基づいて、予め設定された判定基準により前記被測定者の健康状態を判定する判定部と、
前記被測定者の現在位置を取得可能であって、前記判定部での判定結果と前記被測定者の現在位置とに応じた前記被測定者の誘導先の情報を取得し、前記誘導先の情報に基づいて前記誘導情報出力部より前記被測定者を誘導するための情報を出力させる誘導処理部と、を備えた血圧関連情報管理装置。
【請求項２】
前記誘導情報出力部は、音声を出力可能なスピーカを含み、
前記誘導処理部は、音声信号を前記誘導情報出力部へ送信し、音声により前記被測定者を誘導する情報を前記誘導情報出力部から出力させることができる、請求項１記載の血圧関連情報管理装置。
【請求項３】
前記誘導情報出力部は、画像を出力可能な表示部を備え、
前記誘導処理部は、画像信号を前記誘導情報出力部へ送信し、画像により前記被測定者を誘導する情報を前記誘導情報出力部から出力させることができる、請求項１又は請求項２記載の血圧関連情報管理装置。
【請求項４】
前記誘導情報出力部は、外部と通信可能な通信部を備え、
前記誘導処理部は、前記被測定者の現在位置を含む誘導要求を前記誘導情報出力部から出力させることができる、請求項１乃至請求項３のいずれか１項記載の血圧関連情報管理装置。
【請求項５】
前記誘導先の情報は、前記誘導先の位置情報を少なくとも含む、請求項１乃至請求項４のいずれか１項記載の血圧関連情報管理装置。
【請求項６】
前記被測定者の前記血圧関連情報を連続して測定可能な血圧情報測定部と、
位置情報を検出可能な位置情報検出部と、を更に備え、
前記誘導処理部は、前記位置情報検出部で検出された位置情報に基づいて前記被測定者の現在位置を取得可能である、請求項１乃至請求項５のいずれか１項記載の血圧関連情報管理装置。
【請求項７】
被測定者の血圧関連情報を取得し、
前記血圧関連情報に基づいて、予め設定された判定基準により前記被測定者の健康状態を判定し、
前記被測定者の健康状態の判定結果に応じて、前記被測定者を誘導するか否か判断し、
前記被測定者を誘導すると判断したときに、前記被測定者の現在位置を取得し、
前記判定結果と前記被測定者の現在位置とに基づいて、前記被測定者の誘導先の情報を取得し、誘導情報出力部を制御して前記被測定者を誘導する情報を出力させる、血圧関連情報管理方法。
【発明の詳細な説明】
【技術分野】
【０００１】
本発明は、血圧関連情報管理装置および方法に関し、より詳しくは、被測定者の血圧に関する情報および位置情報に基づいて、被測定者を誘導する情報を提供可能な血圧関連情報管理装置および方法に関する。
【背景技術】
【０００２】
従来、被測定者の血圧に関連する情報を測定する装置としては、例えば特許文献１（特開２００４−２６１４５２号公報）に開示されているように、測定された血圧値と、測定時刻情報や測定条件を対応付けてメモリに格納し、特定の時間帯に複数回測定された血圧値を平均した平均値を算出し、その算出結果に基づいてリスク値を算出および表示する血圧計が提案されている。
【０００３】
また、近年では、携帯型の血圧計により、被測定者の血圧を所定の時間間隔で長期間（例えば２４時間）測定し、測定結果に基づいて被測定者の健康管理を行うことが提案されている。
【先行技術文献】
【特許文献】
【０００４】
【特許文献１】特開２００４−２６１４５２号公報
【発明の概要】
【発明が解決しようとする課題】
【０００５】
例えば、被測定者の健康状態によっては、急激な血圧上昇（サージ血圧）が発生したり、心房細動（ＡＦ：atrial fibrillation）が発生したりすることにより、突然、具合が悪くなることが想定し得る。被測定者の健康状態が悪化した際に、被測定者の主治医や家族が近くに居ない場合には、被測定者自身で適切な対処をすることが必要となる。このような状況では、例えば被測定者が身に着けている機器により、被測定者が適切な対処を行うことを支援し、被測定者が重篤な状態となることを回避可能とすることが期待される。
【０００６】
本発明は上記事情に着目してなされたもので、血圧関連情報により被測定者の健康状態を判定し、判定結果および被測定者の位置情報に基づいて被測定者を誘導する情報を提供可能な血圧関連情報管理装置および方法を提供することを目的とする。
【課題を解決するための手段】
【０００７】
上記課題を解決するため、本発明の第１の態様は、被測定者の血圧関連情報を取得可能な情報取得部と、前記被測定者を誘導する情報を出力可能な誘導情報出力部と、前記血圧関連情報に基づいて、予め設定された判定基準により前記被測定者の健康状態を判定する判定部と、前記被測定者の現在位置を取得可能であって、前記判定部での判定結果と前記被測定者の現在位置とに応じた前記被測定者の誘導先の情報を取得し、前記誘導先の情報に基づいて前記誘導情報出力部より前記被測定者を誘導するための情報を出力させる誘導処理部と、を備えた血圧関連情報管理装置である。
【０００８】
本発明の第２の態様は、上記第１の態様において、前記誘導情報出力部は、音声を出力可能なスピーカを含み、前記誘導処理部は、音声信号を前記誘導情報出力部へ送信し、音声により前記被測定者を誘導する情報を前記誘導情報出力部から出力させることができるものである。
【０００９】
本発明の第３の態様は、上記第１又は第２の態様において、前記誘導情報出力部は、画像を出力可能な表示部を備え、前記誘導処理部は、画像信号を前記誘導情報出力部へ送信し、画像により前記被測定者を誘導する情報を前記誘導情報出力部から出力させることができるものである。
【００１０】
また、本発明の第４の態様は、上記第１乃至第３のいずれかの態様において、前記誘導情報出力部は、外部と通信可能な通信部を備え、前記誘導処理部は、前記被測定者の現在位置を含む誘導要求を前記誘導情報出力部から出力させることができるものである。
【００１１】
本発明の第５の態様は、上記第１乃至第４のいずれかの態様において、前記被測定者の誘導先の情報は、前記誘導先の位置情報を少なくとも含むものである。
【００１２】
本発明の第６の態様は、上記第１乃至第５のいずれかの態様において、前記被測定者の前記血圧関連情報を連続して測定可能な血圧情報測定部と、位置情報を検出可能な位置情報検出部と、を更に備え、前記誘導処理部は、前記位置情報検出部で検出された位置情報に基づいて前記被測定者の現在位置を取得可能であるものである。
【発明の効果】
【００１３】
本発明の第１の態様によれば、血圧関連情報に基づいて判定された被測定者の健康状態と被測定者の現在位置とに基づいて被測定者を誘導する情報を出力することにより、被測定者への対処を迅速に行うことが可能となる。その結果、被測定者が重篤な状態となることを回避可能とすることが期待できる。
【００１４】
本発明の第２の態様によれば、音声により被測定者を誘導することにより、被測定者を誘導先までスムーズに誘導することが可能となる。
【００１５】
本発明の第３の態様によれば、画像により被測定者を誘導することにより、被測定者を誘導先までスムーズに誘導することが可能となる。
【００１６】
本発明の第４の態様によれば、通信部より外部へ誘導要求を出力可能とすることにより、血圧測定器以外の外部機器により被測定者を誘導可能となる。
【００１７】
本発明の第５の態様によれば、誘導先の情報が誘導先の位置情報を含むことにより、被測定者の現在位置と誘導先の位置情報とを用いて、被測定者を誘導先へ誘導することが可能となる。被測定者は、出力される情報により誘導先の位置を確認することができる。
【００１８】
血圧測定器により長時間に渡って被測定者の健康状態を自動的にチェックすることが可能となり、被測定者が血圧測定器を携帯することにより、被測定者が病院や自宅に拘束されることがなくなり、被測定者の行動の自由度を増すことができる。
【図面の簡単な説明】
【００１９】
【図１】図１は、本発明の一実施形態に係る血圧関連情報管理装置を備えた血圧関連情報管理システムの全体構成を概略的に示す図である。
【図２】図２は、図１に示す血圧測定器の構成の一例を示すブロック図である。
【図３】図３は、図１に示すユーザ端末の構成の一例を示すブロック図である。
【図４】図４は、図１に示すサーバの構成の一例を示すブロック図である。
【図５】図５は、本発明の一実施形態に係る血圧関連情報管理方法を説明するフローチャートである。
【発明を実施するための形態】
【００２０】
以下、図面を参照して本発明に係る実施形態を説明する。  
［一実施形態］
（構成）
図１は、本発明の一実施形態に係る血圧関連情報管理装置を備えた血圧関連情報管理システムの全体構成を概略的に示す図である。
【００２１】
血圧関連情報管理システムは、血圧測定器１０と、ユーザ端末２０と、サーバ３０と、を含む。血圧測定器１０と、ユーザ端末２０と、サーバ３０とは、ネットワークを介して、無線通信或いは有線通信により互いに通信可能に構成されている。なお、血圧測定器１０は、ユーザ端末２０を介してサーバ３０と通信可能に構成されてもよい。
【００２２】
血圧測定器１０は、帯状体と、ケーシング内に搭載された測定器本体とを備えている。被測定者は、血圧測定対象となる動脈（例えば橈骨動脈）が内部に存在する位置（被測定部）に測定器本体の少なくとも一部が接触するように、帯状体を被測定部に巻きつけることにより血圧測定器１０を装着し、測定器本体を操作して、後述するように血圧関連情報の測定および表示を行うことができる。
【００２３】
例えば、血圧測定器１０は、ＰＴＴ方式、トノメトリ方式、光学方式、電波方式、又は、超音波方式などを用いた連続測定型の血圧検出方式を採用して、被測定者の血圧関連情報を測定することができる。ＰＴＴ方式は、脈波伝播時間（ＰＴＴ；Pulse Transmit Time）を測定し、測定した脈波伝播時間から血圧値を推定する方式である。トノメトリ方式は、手首の橈骨動脈等の動脈が通る生体部位（被測定部）に圧力センサを直接接触させて、圧力センサが検出する情報を用いて血圧値を測定する方式である。光学方式、電波方式、および、超音波方式は、光、電波又は超音波を血管にあててその反射波から血圧値を測定する方式である。
【００２４】
ユーザ端末２０は、例えば、スマートフォンやタブレッドや携帯電話などの携帯通信端末や、パーソナルコンピュータ等の通信端末を採用することができる。
【００２５】
なお、図１には１つの血圧測定器１０および１つのユーザ端末２０のみが記載されているが、サーバ３０は、複数の血圧測定器１０および複数のユーザ端末２０と通信可能であり、複数の血圧測定器１０で測定された血圧関連情報をそれぞれ管理することが可能である。
【００２６】
図２は、図１に示す血圧測定器の構成の一例を示すブロック図である。
血圧測定器１０は、通信部１１と、操作部１２と、制御部１３と、メモリ１４と、血圧情報測定部１５と、表示部１６と、センサ部１７と、スピーカ１ｓｐと、位置検出部１８と、を備えている。
【００２７】
通信部１１は、制御部１３によって制御されて、ネットワークを介して、制御部１３から受信した所定の情報を外部へ送信可能であり、外部からの情報を受信して制御部１３へ送信することができる。通信部１１によるネットワークを介した通信は、無線通信、有線通信のいずれでも構わない。本実施形態では、ネットワークは例えばインターネットであるが、これに限定されず、ＬＡＮ（Local Area Network）のような他の種類のネットワークであってもよく、ＵＳＢケーブルなどの通信ケーブルを用いた１対１の通信であってもよい。
【００２８】
操作部１２は、タッチパネルや操作ボタン・操作キーなどの操作デバイス（図示せず）がユーザ（被測定者）によって操作されたことに応じて、操作された内容に応じた操作信号を制御部１３へ出力する。また、操作部１２は、タッチパネルや操作ボタン・操作キーに限定されず、例えば、ユーザの音声による操作指示を認識する音声認識部や、ユーザの生体の一部を認証する生体認証部や、撮像手段により得られる画像によりユーザの表情やジェスチャーを認識する画像認識部などを備えていても構わない。
【００２９】
メモリ１４は、血圧測定器１０を制御するためのプログラムのデータ、血圧測定器１０の各種機能を設定するための設定データ、少なくとも現在から遡った所定期間の測定結果のデータ、被測定者の誘導先候補（自宅、親族の住居、かかりつけの病院など）の情報、位置検出部１８で検出された位置情報などを記憶することができる。また、メモリ１４は、プログラムが実行されるときのワークメモリなどとして用いられる。
【００３０】
センサ部１７は、血圧測定器１０の帯状体を被測定者の被測定部に装着した際に、少なくとも一部が被測定部と接触する位置に設けられ、被測定者の圧脈波を検出する。センサ部１７は、例えば、空気袋と、押圧部と、ポンプと、少なくとも１つの圧力センサと、を備え、ポンプにより空気袋の内部の空気量を調整して、押圧部から被測定者の被測定部を押圧する圧力を調整可能である。このとき、例えば、センサ部１７による被測定者の橈骨動脈への押圧力は、空気袋の内圧と等価であるとする。なお、センサ部１７は、被測定者の被測定部を押圧できる構成であればよく、空気袋を備える構成に限定されるものではない。
【００３１】
圧力センサは、押圧部と被測定部とが接触する位置に少なくとも１つ配置される。圧力センサは、例えば、被測定部に接触する押圧部の面に形成された感圧ダイオード等により構成することができる。  
圧力センサは、例えば、被測定者の橈骨動脈と交差（略直交）するように橈骨動脈に対して押圧される位置に配置され、被測定者の橈骨動脈から発生して皮膚に伝達される圧力振動波、すなわち圧脈波を検出可能である。
【００３２】
血圧情報測定部１５は、制御部１３からの制御信号に基づいてポンプを制御してセンサ部１７の空気袋の圧力を調整し、センサ部１７で検出された圧脈波を受信して、被測定者の最高血圧（ＳＢＰ）と最低血圧（ＤＢＰ）とを測定することができる。また、血圧情報測定部１５は、センサ部１７から得られる検出値に基づいて被測定者の脈拍数を測定することができる。血圧情報測定部１５は、圧脈波と、測定した血圧の測定値と脈拍数とを制御部１３へ出力する。
【００３３】
なお、センサ部１７は上記構成に限定されるものではなく、光センサや、超音波センサを採用してもよい。また、センサ部１７は、例えば、橈骨動脈に押し当てた２つの電極間の脈波伝播時間（ＰＴＴ）を計測してもよい。この場合、センサ部１７はＰＴＴを血圧情報測定部１５へ送信し、血圧情報測定部１５は、例えば、センサ部１７で測定されたＰＴＴと２つの電極間距離と被測定部の押圧力とに基づいて、被測定者の最高血圧（ＳＢＰ）と最低血圧（ＤＢＰ）とを測定可能である。
【００３４】
表示部１６は、例えば表示画面（例えば、ＬＣＤ（Liquid Crystal Display）又はＥＬ（Electroluminescence）ディスプレイなど）やインジケータ等を含み、制御部１３からの制御信号に従って所定の画像（静止画と動画とを含む）や色彩や明度による情報を表示することができる。
【００３５】
スピーカ１ｓｐは、制御部１３からの制御信号に従って、所定の音および音声を出力することができる。
【００３６】
位置検出部１８は、例えばＧＰＳ（Global Positioning System）を備え、制御部１３からの制御信号に従って動作し、ＧＰＳ衛星から得た情報により血圧測定器１０の位置を検出することができる。位置検出部１８は、検出した位置情報を制御部１３へ出力する。
【００３７】
なお、血圧測定器１０は、活動量測定機能、歩数計測機能、睡眠状態計測機能、および、環境（温度・湿度）計測機能の少なくとも１つ、を備えていてもよい。すなわち、血圧測定器１０は、３軸センサと、環境センサと、気圧計と、の少なくとも１つを更に備えていてもよく、３軸センサにより加速度を検出し、被測定者の活動量を算出可能に構成されてもよく、３軸センサにより加速度を検出するとともに気圧計により気圧を検出して、被測定者の歩数、早歩き歩数、階段のぼり歩数などを算出可能に構成されてもよく、３軸センサにより加速度を検出し、被測定者の寝返りの状態を検出することで、睡眠状態を検出可能に構成されてもよい。
【００３８】
また、環境センサは、ユーザの周囲の環境情報を測定し、測定した環境データを取得するセンサを含む。環境センサは、気温、温度、湿度、音、光などを測定するセンサを含んでもよい。環境センサは、血圧値の変動に直接或いは間接的に関連があることが想定される環境の情報（環境データ）を測定するセンサを含むものであってもよい。また、制御部１３は、環境センサが測定する測定データを時刻情報に基づいて設定する測定時刻と紐づけて測定データ（環境データ）として取得することができる。
【００３９】
例えば、気温（気温の変化）は、人間の血圧変動を引き起こしうる要素の１つとして考えられる。このため、環境センサが測定する気温データは、ユーザの血圧変動の要因となりうる情報であり、血圧以外の１つの要素の測定データとして出力されうる。また、気温以外にも湿度、音、光などが血圧変動を引き起こしうる要素の１つとして考えらえる場合には、それらの測定データが、血圧以外の要素の測定データとして出力されるようにしてよい。
【００４０】
制御部１３は、ＣＰＵ（central processing unit）やＭＰＵ（micro processing unit）などのプロセッサを少なくとも１つ含み、メモリ１４に記憶されたプログラムに従って、操作部１２からの操作信号および血圧情報測定部１５からの測定結果（圧脈波、脈拍数、血圧値など）や、位置検出部１８からの位置情報に基づいて、メモリ１４、表示部１６、スピーカ１ｓｐ、および、通信部１１を制御可能である。例えば、制御部１３は、操作部１２による指示に応じて、被測定者の現在の血圧等を測定するモードを実行可能である。また、制御部１３は、操作部１２による指示に応じて、所定の時間間隔（例えば脈拍の１拍毎）で、長期間（例えば２４時間）連続して、被測定者の血圧等を自動的に測定するモードを実行可能である。
【００４１】
なお、制御部１３は、例えば、被測定者の脈拍数や圧脈波の情報に基づいて、被測定者に心房細動が発生しているか否かを判断することが可能である。また、制御部１３は、例えば、被測定者の血圧値が単位時間あたりに急激に増加したか否か基づいて、サージ血圧が発生しているか否かを判断することができる。
【００４２】
また、制御部１３は、情報取得部１３０と、判定部１３１と、誘導処理部１３２と、を備えていてもよい。  
情報取得部１３０は、例えば、血圧情報測定部１５又はメモリ１４から、測定結果（圧脈波、脈拍数、血圧値など）に基づく血圧関連情報を取得する。なお、情報取得部１３０は、判定部１３１での判定処理に用いる血圧関連情報を、測定日時や測定値に応じてメモリ１４から読み出してもよく、血圧情報測定部１５又はメモリ１４から取得した測定結果を用いて、必要な血圧関連情報を演算可能に構成されてもよい。また、情報取得部１３０は、通信部１１を介して外部から血圧関連情報を取得してもよい。情報取得部１３０は、取得した情報を判定部１３１へ送信する。
【００４３】
また、情報取得部１３０は、位置情報検出部１８で検出された血圧測定器１０の位置情報を取得可能に構成されてもよい。情報取得部１３０は、取得した位置情報に基づいて被測定者の現在位置を特定し、誘導処理部１３２へ被測定者の現在位置を送信してもよい。
なお、情報取得部１３０は、血圧関連情報と位置情報との他に、３軸センサ、環境センサ、気圧計などにより測定された情報を取得可能に構成されてもよい。このとき、情報取得部１３０は、取得した情報を判定部１３１と誘導処理部１３２の少なくとも一方へ送信することができる。
【００４４】
判定部１３１は、情報取得部１３０から血圧関連情報を受信し、受信した血圧関連情報用いて被測定者の健康状態を判定することができる。判定部１３１は、被測定者の健康状態を、少なくとも２以上の段階で判定することができる。
【００４５】
判定部１３１は、例えば、最高血圧値、最低血圧値、脈拍数、サージ血圧が発生していること、ＡＦが発生していること、ＡＦの連続発生時間、などの血圧関連情報の少なくとも１つに基づいて被測定者の健康状態を判定してもよい。また、判定部１３１は、被測定者の健康状態を複数の血圧関連情報を組み合わせて判定してもよい。また、判定部１３１は、例えば、図示しない温度センサから得られた血圧測定器１０の周囲の環境温度や、加速度センサから得られた被測定者の動作情報などを更に考慮して、被測定者の健康状態を判定してもよい。
【００４６】
例えば、判定部１３１は、被測定者の健康状態の判定結果を、健康状態の良し悪しによる点数として数値にて表してもよく、「Ａ」〜「Ｅ」などの文字により表してもよく、「◎」「○」「□」「△」「×」などの記号により表してもよい。なお、制御部１３は、表示部１６を制御して、判定部１３１での判定結果に対応する数値や文字や記号を表示してもよく、判定結果に対応する数値をインジケータなどの画像で表示してもよい。
【００４７】
判定部１３１での判定結果は、例えば、段階的に健康状態が良い（或いは悪い）ことを示すものであってもよく、複数段階の判定結果それぞれが独立した健康状態を示すものであってもよい。
【００４８】
例えば、判定部１３１が、被測定者の健康状態を、最高血圧値、最低血圧値、脈拍数、サージ血圧発生の有無、ＡＦ発生の有無、および、ＡＦの継続時間により判定する場合、判定部１３１は、異常である項目の数（「０」〜「６」）を判定結果としてもよい。
【００４９】
また、判定部１３１は、例えば、異常である項目に対応する数値や文字や記号を組み合わせて判定結果としてもよい。例えば、最高血圧値の異常に対応する数値を「０」、最低血圧値の異常に対応する数値を「１」、脈拍数の異常に対応する数値を「２」、サージ血圧の発生時に対応する数値を「３」、ＡＦの発生時に対応する数値を「４」、ＡＦの継続時間が所定の閾値以上の時に対応する数値を「５」とし、判定部１３１は、異常である項目に対応する数値を並べた列を判定結果としてもよい。
【００５０】
また、判定部１３１は、例えば、異常である項目を「１」とし、正常である項目を「０」として、予め設定した項目の順に対応する数値（「０」又は「１」）を並べた列を判定結果としてもよい。
【００５１】
判定部１３１で被測定者の健康状態の判定に用いられる判定基準は、一般的に異常であるとされる基準値が設定されてもよく、被測定者毎に個別に設定可能であってもよい。健康状態の判定基準を被測定者毎に個別に設定することにより、例えば、主治医による専門的な意見を考慮して被測定者の健康状態を個別に判定することが可能となる。
【００５２】
誘導処理部１３２は、被測定者の健康状態の判定結果に応じて、被測定者を誘導するための情報を誘導情報出力部から出力させる。誘導処理部１３２は、誘導情報出力部として、例えば、スピーカ１ｓｐ、表示部１６、および、通信部１１の少なくとも１つを採用することができる。
【００５３】
誘導処理部１３２にて被測定者を誘導するか否か判断する際に用いられる基準は、予め設定された全ての被測定者に共通の基準であってもよく、例えば被測定者の主治医が被測定者の既往症や、血圧変動の傾向などに基づいて個別に設定可能としてもよい。
【００５４】
誘導処理部１３２は、例えば、メモリ１４に予め記憶された１又は複数の誘導先候補の情報から誘導先を選択し、選択した誘導先へ被測定者を誘導するための情報を誘導情報出力部から出力してもよい。
【００５５】
誘導処理部１３２は、例えば被測定者を誘導する音声信号を生成し、音声信号に基づく音声を出力させる制御信号をスピーカ（誘導情報出力部）１ｓｐへ送信することができる。また、誘導処理部１３２は、例えば被測定者を誘導する画像信号を生成し、画像信号に基づく画像を出力させる制御信号を表示部１６へ送信することができる。誘導処理部１３２は、表示部（誘導情報出力部）１６を制御して、表示部１６の表示内容を変更してもよく、例えば、被測定者の健康状態や血圧関連情報などを表示部１６に表示させてもよく、表示部１６の表示色や明度を変えて点滅させてもよい。
【００５６】
また、誘導処理部１３２は、被測定者を誘導するときには、例えば、位置検出部１８で検出された血圧測定器１０の位置情報を受信し、血圧測定器１０の位置情報に基づいて、被測定者の現在位置を取得してもよい。また、誘導処理部１３２は、例えば、被測定者の現在位置を中心とした所定の距離範囲内において、被測定者に対する処置を行うことができる病院や、被測定者が休息をとることができる公園などの施設の情報（位置情報を含む）を、ネットワークを介して取得することができる。誘導処理部１３２は、取得した施設の情報に基づいて、被測定者の誘導先の情報を、スピーカ１ｓｐ、および、表示部１６を制御して出力することができる。
【００５７】
また、誘導処理部１３２は、通信部１１を誘導情報出力部として、血圧測定器１０の位置情報を含む誘導要求を外部へ出力してもよい。この場合には、誘導処理部１３２は、例えば通信部１１を介して外部から受信した誘導指示に従って、スピーカ１ｓｐ、表示部１６、位置検出部１８を制御することができる。
【００５８】
図３は、図１に示すユーザ端末の構成の一例を示すブロック図である。
ユーザ端末２０は、通信部２１と、操作部２２と、制御部２３と、メモリ２４と、表示部２５と、スピーカ２ｓｐと、を備えている。
【００５９】
本実施形態では、ユーザ端末２０は、例えば、スマートフォンやタブレッドなどの携帯通信端末であって、後述の処理を実行可能となるようにアプリケーションソフトウエア（プログラム）をインストールしたものである。
【００６０】
通信部２１は、制御部２３によって制御されて、ネットワークを介して、制御部２３から受信した所定の情報を外部へ送信可能であり、外部からの情報を受信して制御部２３へ送信することができる。通信部２１によるネットワークを介した通信は、無線通信、有線通信のいずれでも構わない。本実施形態では、ネットワークは例えばインターネットであるが、これに限定されず、ＬＡＮ（Local Area Network）のような他の種類のネットワークであってもよく、ＵＳＢケーブルなどの通信ケーブルを用いた１対１の通信であってもよい。
【００６１】
操作部２２は、例えば、タッチパネルや操作ボタンを備え、ユーザ（例えば被測定者）による操作に対応した操作信号を制御部２３へ送信する。また、操作部２２は、タッチパネルや操作ボタンに限定されず、例えば、キーボードおよびマウスなどの操作手段や、ユーザの音声による操作指示を認識する音声認識部や、ユーザの生体の一部を認証する生体認証部や、撮像手段により得られる画像によりユーザの表情やジェスチャーを認識する画像認識部などを備えていても構わない。
【００６２】
メモリ２４は、例えば、制御部２３でプログラムを実行するために必要な作業領域として用いられるＲＡＭ（Random Access Memory）と、制御部２３で実行するための基本的なプログラムを記憶するためのＲＯＭ（Read Only Memory）とを含む。また、メモリ２４は、血圧測定器１０から受信した血圧関連情報を、少なくとも現在から遡って所定の期間分だけ記憶してもよい。また、メモリ２４の記憶領域を補助するための補助記憶装置の記憶媒体として、半導体メモリ（メモリカード、ＳＳＤ（Solid State Drive））などを備えていてもよい。
【００６３】
表示部２５は、表示画面（例えば、ＬＣＤ又はＥＬディスプレイなど）を含む。表示部２５は、制御部２３によって制御され、所定の画像を表示画面に表示可能である。
スピーカ２ｓｐは、制御部２３からの制御信号に従って、所定の音および音声を出力することができる。
【００６４】
制御部２３は、例えば、ＣＰＵやＭＰＵなどのプロセッサを少なくとも１つと、その補助回路とを備え、ユーザ端末２０の各構成を制御可能である。制御部２３は、メモリ２４に記憶されたプログラムおよびデータに従って後述の処理を実行する。すなわち、制御部２３は、操作部２２、および、通信部２１から入力されたデータを処理し、処理したデータを、メモリ２４に記憶させたり、表示部２５で表示させたり、通信部２１から出力させたりすることが可能である。
【００６５】
制御部２３は、通信部２１を介して血圧測定器１０からの位置情報を含む誘導要求を受信したときに、例えば、スピーカ２ｓｐおよび表示部２５を制御して、被測定者を誘導する情報を出力させてもよい。この場合には、制御部２３は、血圧測定器１０から受信した位置情報から被測定者の現在位置を特定し、被測定者の現在位置を中心とした所定の距離範囲内において、被測定者に対する処置を行うことができる病院や、被測定者が休息をとることができる公園などの施設の情報（位置情報を含む）を、ネットワークを介して取得することができる。制御部２３は、取得した施設の情報に基づいて、被測定者の誘導情報を、スピーカ２ｓｐおよび表示部２５を制御して出力することができる。
【００６６】
図４は、図１に示すサーバの構成の一例を示すブロック図である。
サーバ３０は、通信部３１と、操作部３２と、制御部３３と、記憶部３４と、表示部３５と、を含む。サーバ３０は、例えば汎用のコンピュータ装置に、後述の処理を行わせるようにプログラム（ソフトウェア）をインストールしたものである。
【００６７】
操作部３２は、例えば、キーボードおよびマウスで構成され、ユーザによる操作を示す操作信号を制御部３３へ送信する。また、操作部３２は、キーボードおよびマウスに代えて、又は、加えて、タッチパネルなどの他の操作デバイスで構成されるようにしてもよい。
【００６８】
通信部３１は、ネットワークを介して、制御部３３からの情報を外部へ送信するとともに、ネットワークを介して、外部から送信されてきた情報を受信して制御部３３へ送信する。
【００６９】
記憶部３４は、制御部３３でプログラムを実行するために必要な作業領域として用いられるＲＡＭと、制御部３３で実行するための基本的なプログラムを記憶するためのＲＯＭとを含む。記憶部３４には、血圧測定器１０或いはユーザ端末２０から送られてきた多くの血圧関連情報のデータを含むデータベースが設けられている。また、記憶部３４には、例えば、血圧関連情報に対するアクセス権限を有するユーザのＩＤ（識別子）やパスワードなどを含むデータベースが設けられている。
【００７０】
また、記憶部３４の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray（登録商標） Disc））、光磁気ディスク（ＭＯ（Magneto-Optical disk））、又は、半導体メモリ（メモリカード、ＳＳＤ）などが用いられてもよい。
【００７１】
表示部３５は、表示画面（例えば、ＬＣＤ又はＥＬディスプレイなど）を含む。表示部３５は、制御部３３によって制御されて、所定の画像（静止画と動画とを含む）を表示画面に表示させる。
【００７２】
制御部３３は、例えば、ＣＰＵやＭＰＵなどのプロセッサを少なくとも１つ含んでいる。制御部３３は、サーバ３０の各部を制御し、記憶部３４に記憶されたプログラムおよびデータに従って所定の処理を実行し、操作部３２、および、通信部３１から入力されたデータを処理し、処理したデータを、記憶部３４に記憶させたり、表示部３５で表示させたり、通信部３１から出力させたりすることが可能である。
【００７３】
なお、制御部３３は、通信部３１を介して外部から記憶部３４のデータベースに記憶されたデータへのアクセスを要求されたときに、例えば、ＩＤおよびパスワードにより、要求されたデータへのアクセス権限があるユーザか否かを確認し、アクセス権限があるユーザであるときにはデータベースから要求されたデータを読み出して、通信部３１を介して所定のユーザへ送信することができる。したがって、被測定者が病院や自宅を離れているときには、例えば被測定者の主治医や家族など、被測定者の血圧関連情報に対するアクセス権限があるユーザは、サーバ３０の記憶部３４（データベース）にアクセスして被測定者の血圧関連情報を得ることができ、被測定者の健康状態を確認することが可能である。
【００７４】
（動作）
次に、以上のように構成された血圧関連情報管理装置が搭載された血圧関連情報管理システムの動作の一例を説明する。
最初に、血圧測定器１０で測定された血圧関連情報をサーバ３０の記憶部３４へ蓄積する動作の一例について説明する。
【００７５】
ユーザが、長期間連続して自動的に血圧関連情報を測定するモードを実行するように、血圧測定器１０の操作部１２を操作すると、血圧測定器１０の制御部１３は、所定の時間間隔で、例えば、被測定者の最高血圧と、最低血圧と、単位時間当たりの脈拍数と、測定年月日および時刻と、を含む血圧関連情報を測定するように、血圧情報測定部１５、および、センサ部１７を制御する。
【００７６】
制御部１３は、血圧情報測定部１５から測定結果を受信し、メモリ１４へ記憶させる。なお、制御部１３は、新たな血圧関連情報をメモリ１４へ記憶する際に、最も古い血圧関連情報をメモリ１４から消去するようにしてもよい。
【００７７】
続いて、制御部１３は、通信部１１を制御して、ユーザ端末２０を介して（或いは、ユーザ端末２０を介することなく）、測定した血圧関連情報を被測定者（或いは血圧測定器１０）の個別の識別情報と合わせてサーバ３０へ送信する。このとき、制御部１３は、血圧関連情報をリアルタイムでサーバ３０へ随時送信してもよく、複数回の血圧関連情報をまとめてサーバ３０へ送信してもよい。通信部１１による通信の頻度を少なくすることにより、血圧測定器１０の電力消費を低く抑えることができる。
【００７８】
サーバ３０の制御部３３は、通信部３１を介して血圧関連情報を受信し、記憶部３４のデータベースへ記憶させる。
血圧測定器１０、ユーザ端末２０、および、サーバ３０は上記動作を繰り返し、被測定者の血圧関連情報を記憶部３４のデータベースへ蓄積する。
【００７９】
続いて、血圧関連情報管理装置にて、被測定者の健康状態に基づく誘導情報を出力する際の動作の一例について説明する。
図５は、本発明の一実施形態に係る血圧関連情報管理方法を説明するフローチャートである。ここでは、血圧測定器１０を血圧関連情報管理装置とし、誘導情報出力部をスピーカ１ｓｐおよび表示部１６として、被測定者を誘導する例について説明する。
【００８０】
なお、本実施形態において、ユーザ端末２０を血圧関連情報管理装置としても構わない。その場合には、ユーザ端末２０の制御部２３が、上述の情報取得部１３０、判定部１３１および誘導処理部１３２と同様の構成を備える。また、本実施形態において、サーバ３０を血圧関連情報管理装置としても構わない。その場合には、サーバ３０の制御部３３が、上述の情報取得部１３０、判定部１３１および誘導処理部１３２と同様の構成を備える。
【００８１】
制御部１３は、血圧情報測定部１５を制御して、所定の時間間隔で被測定者の血圧関連情報を測定し（ステップＳ１）、測定結果をメモリ１４へ記憶させる（ステップＳ２）。メモリ１４には、直近の所定期間に測定された血圧関連情報が記憶される。
【００８２】
制御部１３の情報取得部１３０は、例えば、血圧情報測定部１５から最新の測定結果を受信して、被測定者の血圧関連情報を取得する。なお、情報取得部１３０は、メモリ１４に記憶された測定結果を読み出して、被測定者の血圧関連情報を取得してもよく、通信部１１を介して外部から被測定者の血圧関連情報を取得してもよい。
制御部１３の判定部１３１は、情報取得部１３０から受信した血圧関連情報に基づいて、被測定者の健康状態を判定する（ステップＳ３）。判定部１３１は、被測定者の健康状態の判定結果を、誘導処理部１３２へ送信する。
【００８３】
誘導処理部１３２は、判定部１３１から受信した判定結果と、予め設定された誘導基準とに基づいて、被測定者を誘導するための情報を出力するか否かを判断する（ステップＳ４）。
【００８４】
例えば判定部１３１からの判定結果が「０」〜「４」の５段階で得られるとき、誘導基準は数値にて予め設定される。例えば、予め設定された誘導基準が「３」と「４」とであるとき、誘導処理部１３２は、判定結果が「０」〜「２」のときにはアラートを通知しないと判断し、判定結果が「３」であるときと、「４」であるときにアラートを通知すると判断する。また、例えば判定部１３１からの判定結果が、数値や文字の列により得られるとき、誘導基準は所定の数値や文字の列にて予め設定される。
【００８５】
誘導処理部１３２が被測定者を誘導するための情報を出力しないと判断したとき、制御部１３は、ステップＳ１に戻り上記の処理を行う。
【００８６】
被測定者を誘導するための情報を出力すると判断したときには、誘導処理部１３２は、例えば、位置検出部１８から血圧測定器１０の位置情報を受信し、被測定者の現在位置を取得する（ステップＳ５）。
【００８７】
続いて、誘導処理部１３２は、例えば、被測定者の誘導先の情報を取得する。誘導先の情報は、誘導先の位置情報を少なくとも含み、誘導先の名称、カテゴリ（病院、公園、自宅、かかりつけの病院、など）、利用可能期間・曜日・時間帯、および、誘導先として選択する優先度等の情報を含んでいてもよい。
【００８８】
誘導先の情報は、予めメモリ１４に記憶された誘導先候補の情報から選択されてもよく、ネットワークを介して外部から得られる情報であってもよい。例えば、誘導処理部１３２は、ネットワークを介して外部の地図情報データベースへアクセスし、被測定者の現在位置に基づいて、被測定者から所定の距離範囲にある施設の情報を地図情報データベースから取得することができる。
【００８９】
取得した誘導先が複数あるときには、誘導処理部１３２は、例えば、被測定者の健康状態、優先度、被測定者からの距離等を考慮して、複数の誘導先のうちの１つを選択することができる。例えば、誘導処理部１３２は、被測定者の現在位置から最も近い施設を誘導先として選択してもよく、被測定者から所定の距離範囲にかかりつけの病院がある場合には、他の近くの施設よりもかかりつけの病院を優先して誘導先として選択してもよい。また、誘導処理部１３２は、現在の年月日および時刻から病院等の施設が利用可能か否かを判断し、利用できない施設を誘導先から除いてもよい。
【００９０】
なお、例えば上記の一例のように、複数の判定結果（「３」および「４」）に対して誘導情報を出力する場合、誘導処理部１３２は、判定部１３１での判定結果毎に誘導先を変えてもよい。
【００９１】
誘導処理部１３２は、選択した誘導先の情報を用いて、スピーカ１ｓｐおよび表示部１６から被測定者を誘導するための情報を出力し、被測定者へ誘導先の情報を提供する（ステップＳ６）。
【００９２】
誘導処理部１３２は、例えば、被測定者の現在位置を更新しながら、被測定者が誘導先へ向かうための道案内をする音声をスピーカ１ｓｐから出力してもよく、誘導先へ向かう為に被測定者が進む方向を表示部１６に示してもよく、被測定者の現在位置と誘導先とを示す地図を表示部１６に表示してもよい。
【００９３】
また、誘導処理部１３２は、例えば、通信部１１からユーザ端末２０などの外部機器へ誘導要求を送信してもよい。例えばユーザ端末２０の制御部２３が通信部２１を介して誘導要求を受信すると、制御部２３は、被測定者の誘導先を選択し、血圧測定器１０に対して被測定者の現在位置を要求して情報を更新しながら、被測定者が誘導先へ向かう為の音声をスピーカ２ｓｐから出力してもよく、誘導先へ向かう為に被測定者が進む方向を表示部２５に示してもよく、被測定者の現在位置と誘導先とを示す地図を表示部２５に表示してもよい。
【００９４】
（効果）
上記のように、血圧関連情報に基づいて判定された被測定者の健康状態に応じて、被測定者を誘導する情報を出力することにより、被測定者への対処を迅速に行うことが可能となる。その結果、被測定者が重篤な状態となることを回避可能とすることが期待できる。
【００９５】
また、上記のように、被測定者が身に着けることができる血圧測定器１０により長時間に渡って被測定者の健康状態を自動的にチェックすることが可能となるため、被測定者が病院や自宅に拘束されることがなくなり、被測定者の行動の自由度を増すことができる。  
また、血圧測定器１０は、外部機器と協働して被測定者を誘導する情報を出力することができる。
【００９６】
すなわち、本実施形態によれば、血圧関連情報により自動的に被測定者の健康状態を判定し、判定結果および被測定者の位置情報に基づいて被測定者を誘導する情報を提供可能な血圧関連情報管理装置および方法を提供することができる。
【００９７】
なお、上記実施形態において、制御部２３は、例えば、被測定者の脈拍数や圧脈波の情報に基づいて、被測定者に心房細動が発生しているか否かを判断可能に構成されてもよい。また、制御部２３は、例えば、被測定者の血圧値が単位時間あたりに急激に増加したか否か基づいて、サージ血圧が発生しているか否かを判断可能に構成されてもよい。
【００９８】
また、上記実施形態において、制御部３３は、例えば、被測定者の脈拍数や圧脈波の情報に基づいて、被測定者に心房細動が発生しているか否かを判断可能に構成されてもよい。また、制御部３３は、例えば、被測定者の血圧値が単位時間あたりに急激に増加したか否か基づいて、サージ血圧が発生しているか否かを判断可能に構成されてもよい。
【００９９】
また、上記実施形態では、血圧関連情報管理装置が、被測定者を誘導先へ移動するように誘導する情報を出力するものについて説明したが、実施形態はこれに限定されるものではなく、例えば、かかりつけの病院又は主治医の連絡先、自宅や親族の連絡先、現在位置から最も近い医療施設の連絡先などを音声や画像により提示して、被測定者が取るべき行動を誘導する情報を出力してもよい。
【０１００】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【０１０１】
上記実施形態の一部又は全部は、以下の付記のようにも記載され得るが、以下には限られるものではない。  
（付記１）
ハードウェアプロセッサと、メモリと、被測定者を誘導する情報を出力可能な誘導情報出力部と、を有し、
前記ハードウェアプロセッサは、
前記被測定者の血圧関連情報を取得し、
前記血圧関連情報に基づいて、予め設定された判定基準により前記被測定者の健康状態を判定し、
前記被測定者の現在位置を取得可能であって、判定結果と前記被測定者の現在位置とに応じた前記被測定者の誘導先の情報を取得し、前記誘導先の情報に基づいて前記誘導情報出力部より前記被測定者を誘導するための情報を出力させるように構成される血圧関連情報管理装置。
（付記２）
少なくとも１つのハードウェアプロセッサを用いて、被測定者の血圧関連情報を取得し、
少なくとも１つのハードウェアプロセッサを用いて、前記血圧関連情報に基づいて、予め設定された判定基準により前記被測定者の健康状態を判定し、
少なくとも１つのハードウェアプロセッサを用いて、前記被測定者の健康状態の判定結果に応じて、前記被測定者を誘導するか否か判断し、
少なくとも１つのハードウェアプロセッサを用いて、前記被測定者を誘導すると判断したときに、前記被測定者の現在位置を取得し、
少なくとも１つのハードウェアプロセッサを用いて、前記判定結果と前記被測定者の現在位置とに基づいて、前記被測定者の誘導先の情報を取得し、誘導情報出力部を制御して前記被測定者を誘導する情報を出力させる、血圧関連情報管理方法。
【符号の説明】
【０１０２】
１０…血圧測定器、１ｓｐ…スピーカ（誘導情報出力部）、１１…通信部（誘導情報出力部）、１３０…情報取得部、１３１…判定部、１３２…誘導処理部、１２…操作部、１３…制御部、１４…メモリ、１５…血圧情報測定部、１６…表示部（誘導情報出力部）、１７…センサ部、１８…位置検出部、２０…ユーザ端末、２ｓｐ…スピーカ、２１…通信部、２２…操作部、２３…制御部、２４…メモリ、２５…表示部、３０…サーバ、３１…通信部、３２…操作部、３３…制御部、３４…記憶部、３５…表示部。
【図１】
2018191784.tif 000003
【図２】
2018191784.tif 000004
【図３】
2018191784.tif 000005
【図４】
2018191784.tif 000006
【図５】
2018191784.tif 000007